(57)【要約】      （修正有）【課題】組み付けの利便性及び多様性を備えるクリップ接続構造を提供する。【解決手段】フック部材１１０と第１可動ファスナー１２０と第２可動ファスナー１３０とを含むクリップ接続構造１００が提供される。前記フック部材は、剛体６０に組み付けられ、該フック部材を該剛体の一方側に留める吊り下げ部１１２を有する。前記第１可動ファスナーは、前記フック部材のボード１１４上に配置され、該第１可動ファスナーを前記剛体の他方側に留める、又は、該第１可動ファスナーを前記剛体から分離する、動作部を有する。前記第２可動ファスナーは、前記フック部材の前記ボード上に配置され、該第２可動ファスナーを前記構造体上に留める支持部１３２を有する。【選択図】図１
2014139933.tif 000002
【特許請求の範囲】
【請求項１】
構造体を剛体に吊るすために用いられるクリップ接続構造であって、
前記剛体に組み付けられるフック部材であって、該フック部材を前記剛体の一方側に留める吊り下げ部を有する該フック部材と、
前記フック部材のボード上に配置された第１可動ファスナーであって、該第１可動ファスナーを前記剛体の他方側に留める、又は、該第１可動ファスナーを前記剛体から分離する、動作部を有する該第１可動ファスナーと、
前記フック部材の前記ボード上に配置された第２可動ファスナーであって、該第２可動ファスナーを前記構造体上に留める支持部を有する該第２可動ファスナーと、を備え、
前記動作部と前記吊り下げ部とは、平行に対向しており、前記動作部と前記吊り下げ部とは、ギャップによって前記ボードから離されている、クリップ接続構造。
【請求項２】
前記第１可動ファスナー及び前記第２可動ファスナーはそれぞれ、前記ボードの２つの対向する側に配置されている、請求項１に記載のクリップ接続構造。
【請求項３】
前記第１可動ファスナーは、該第１可動ファスナーを前記ボードに対して回転可能にする、前記ボード上に固定される、第１連結部材を備える、請求項１に記載のクリップ接続構造。
【請求項４】
前記第１連結部材は、リベットで構成される、請求項３に記載のクリップ接続構造。
【請求項５】
前記第２可動ファスナーは、該第２可動ファスナーを前記ボードに対して回転可能にする、前記ボード上に固定される、第２連結部材を備える、請求項１に記載のクリップ接続構造。
【請求項６】
前記第２連結部材は、リベットで構成される、請求項５に記載のクリップ接続構造。
【請求項７】
前記第１可動ファスナーは、前記動作部に平行な方向に延伸する延伸部を備え、
前記延伸部及び前記動作部は、前記剛体の羽部を留めるために用いられる、請求項１に記載のクリップ接続構造。
【請求項８】
前記フック部材は、前記ボードと前記吊り下げ部とに接続される湾曲部を備え、
前記湾曲部及び前記吊り下げ部は、前記剛体の他方の羽部を留めるために用いられる、請求項１に記載のクリップ接続構造。
【請求項９】
前記支持部は、前記第２可動ファスナーの２つの対向する端部から内側に曲げられ、Ｃ型形状の凹部を形成している、請求項１に記載のクリップ接続構造。
【請求項１０】
構造体を剛体に吊るすために用いられるクリップ接続構造であって、
ボード及び吊り下げ部を有するフック部材と、
前記フック部材の前記ボード上に回転可能に配置された動作部を有する第１ファスナーと、
前記フック部材の前記ボード上に配置され、前記構造体を留める支持部を有する、第２ファスナーと、を備え、
前記クリップ接続構造は、前記剛体上において、前記フック部材の前記吊り下げ部と前記第１ファスナーの前記動作部とを留めることによって、前記剛体に留められ、
前記第１ファスナーの前記動作部は、前記剛体を留める第１位置と、前記剛体を分離する第２位置とを有するように回転される、クリップ接続構造。
【請求項１１】
前記剛体は、羽部を有し、
前記クリップ接続構造は、前記剛体の前記羽部上において、前記フック部材の前記吊り下げ部と前記第１ファスナーの前記動作部とを留めることによって、前記剛体上に留められている、請求項１０に記載のクリップ接続構造。
【請求項１２】
前記第２ファスナーは、前記フック部材の前記ボード上に回転可能に配置されている、請求項１０に記載のクリップ接続構造。
【請求項１３】
前記第１ファスナーの前記動作部と前記第２ファスナーの前記支持部とは、それぞれ、前記フック部材の前記ボードの２つの対向する側に配置されている、請求項１０に記載のクリップ接続構造。
【発明の詳細な説明】
【技術分野】
【０００１】
本発明は、概して、クリップ接続構造に関し、特には、ネジの無いクリップ接続構造に関する。
【背景技術】
【０００２】
蛍光灯、舞台照明、広告灯、及び映写用ランプ等の通常の照明器具は、多様な種類とモデルを有している。一旦取り付けられた、多くの照明器具は、固定され、これにより照射角度及び範囲が固定され、設置環境に合うように調整され得ることはほとんどない。また、照明器具又は照明装飾は、たいてい、ネジを用いて、天井のスチールフレームに固定され又は吊るされる。しかし、ネジ固定の方法では、穴をあける必要があり、ネジの位置及び数量がネジ穴の位置に合わなければならず、取り付けが不便になる。照明器具を取り外す場合は、照明器具からネジを一つずつ緩めなければならない。
【０００３】
高所において照明器具又は照明装飾を組み付けることは困難であるため、ファスナー（留め具）の構成は、組み付けの利便性及び安全性等の要素を考慮しなければならない。従って、構造上の強度及び安全性に影響を及ぼさず、ネジを用いないファスナーを提供することは、製造上、重要な課題となっている。
【０００４】
「吊るされた照明設備用の調整クリップ（Adjustment  clip  for  a  suspended  light  fixture）」と題された米国特許第７９８８３４２号公報には、並んで搭載され、吊るされた照明設備を取り付けるためのシステム及び方法が開示されている。吊るされた照明設備のそれぞれの並びは、照明設備の反対側の端部に配置されたブラケットを含んでいる。それぞれのブラケットは、天井ケーブル又はペンダント等の支持部材に連結された調整クリップをスライドして受け入れるように構成されたスロットを含んでいる。それぞれの調整クリップは、第１及び第２部分を含んでいる。第１及び第２部分は、スペースが第１及び第２部分を切り離すように、各々に対して０度でない鋭角に配置されている。上記スペースは、ブラケットスロットに隣接した調整クリップに対応して、１つ以上のブラケットの部分を受け入れるように構成されている。作業者は、上記ブラケットスロットの外側で、それぞれの調整クリップを介して、ファスナーを位置合わせすることにより照明設備を取り付けることができる。また、作業者は、これに対応する上記スロットに沿って、１つ以上の上記調整クリップをスライドさせることにより、１つ以上の照明設備のアライメント及びバランスを調整することができる。
【発明の概要】
【０００５】
本発明の目的は、組み付けの利便性及び多様性を備えるクリップ接続構造を提供することにある。
【０００６】
本発明の一実施形態によれば、構造体を剛体に吊るすために用いられるクリップ接続構造が提供される。前記クリップ接続構造は、フック部材と第１可動ファスナーと第２可動ファスナーとを含む。前記フック部材は、剛体に組み付けられ、該フック部材を該剛体の一方側に留める吊り下げ部を有する。前記第１可動ファスナーは、前記フック部材のボード上に配置され、該第１可動ファスナーを前記剛体の他方側に留める、又は、該第１可動ファスナーを前記剛体から分離する、動作部を有する。前記動作部と前記吊り下げ部とは、平行に対向している。前記動作部と前記吊り下げ部とは、ギャップによって前記ボードから離されている。前記第２可動ファスナーは、前記フック部材の前記ボード上に配置され、該第２可動ファスナーを前記構造体上に留める支持部を有する。
【０００７】
本発明の他の実施形態によれば、構造体を剛体に吊るすために用いられるクリップ接続構造が提供される。前記クリップ接続構造は、フック部材と第１ファスナーと第２ファスナーとを含む。前記フック部材は、ボードと吊り下げ部とを有する。前記第１ファスナーは、前記フック部材の前記ボード上に回転可能に配置された動作部を有する。前記クリップ接続構造は、前記剛体上において、前記フック部材の前記吊り下げ部と前記第１ファスナーの前記動作部とを、前記剛体とともに留めることによって、前記剛体に留められる。前記第２ファスナーは、前記フック部材の前記ボード上に配置され、前記構造体を留める支持部を有する。前記第１ファスナーの前記動作部は、前記剛体を留める第１位置と、前記剛体を分離する第２位置とを有するように回転される。
【０００８】
本発明の上述の局面及び他の局面は、以下に示す、参照される、しかし限定されない、実施形態の詳細な説明によって、より理解されるだろう。以下の説明は、添付の図面を参照してなされる。
【図面の簡単な説明】
【０００９】
【図１】本発明の実施形態に係るクリップ接続構造の概略図である。
【図２】本発明の実施形態に係るクリップ接続構造の組立図である。
【図３Ａ】クリップ接続構造を剛体に組み付ける手順を示す図である。
【図３Ｂ】クリップ接続構造を剛体に組み付ける手順を示す図である。
【図４Ａ】クリップ接続構造を構造体に組み付ける手順を示す図である。
【図４Ｂ】クリップ接続構造を構造体に組み付ける手順を示す図である。
【図５Ａ】第２可動ファスナーを９０度回転する方法を示す図である。
【図５Ｂ】第２可動ファスナーを９０度回転する方法を示す図である。
【発明の詳細な説明】
【００１０】
クリップ接続構造は、本明細書に開示されている。上記クリップ接続構造の一実施形態によれば、従来の上記ネジ固定構造が、吊るす目的に用いられる、フック部材及びファスナーに置き換えられ、構造体は、他のファスナーを用いて支持され、上記クリップ接続構造を介して剛体に吊るされ得る。例えば、上記剛体は、天井に配置される、軽量鉄骨、又は、所謂Ｔ形鋼などのブラケットとすることができる。上記構造体は、照明器具あるいは照明装飾部材などのランプ、又は、他の目的に用いられるフレームとすることができる。例えば、本実施形態の上記クリップ接続構造は、上記照明器具を、天井に配置される上記軽量鉄骨上に留めることができる。また、上記照明器具の角度は、回転し得、又は、上記照射位置は、設置環境に合うように調整され得る。上記照明器具は、上記フレームに全く穴を開けることなく、上記軽量鉄骨に固定され得る。また、上記照明器具の角度又は照射位置を調整することは、ユーザにとって非常に簡便である。従って、本実施形態の上記クリップ接続構造は、組み付けの利便性と多様性の両方を提供する。
【００１１】
本発明を詳述するために、いくつかの実施形態が以下に開示されている。しかし、本発明の実施形態は、単に詳細な説明であって、本発明の保護範囲を限定するものではない。
【００１２】
図１及び図２は、それぞれ、本発明の実施形態に係るクリップ接続構造１００の概略図及び組立図である。図２に示すように、クリップ接続構造１００は、構造体５０を、剛体６０上に支持し、かつ吊るす。構造体５０は、軽量体５２及びブラケット５４を含んでもよい。ブラケット５４は、軽量体５２の背面に配置されており、Ｈ形又は角形のブラケットとすることができる。また、剛体６０は、Ｔ形の軽量鉄骨とすることができ、２つの羽部６１，６２と、リブ６３とを含んでいる。本実施形態のクリップ接続構造１００によれば、構造体５０は、全くネジを用いることなく、剛体６０の２つの羽部６１，６２に吊るされ得る。このため、組み付けの利便性が向上する。本実施形態は、軽量体５２によって例示されているが、本発明の適用はこれに限定されない。
【００１３】
図１に示すように、クリップ接続構造１００は、フック部材１１０、第１可動ファスナー１２０、及び第２可動ファスナー１３０を含んでいる。フック部材１１０は、図２に示すように、剛体６０に組み付けられており、また、フック部材１１０を剛体６０の一方側（左側など）に留めるための吊り下げ部１１２を有している。第１可動ファスナー１２０は、フック部材１１０のボード１１４上に配置されており、また、第１可動ファスナー１２０を剛体６０の他方側（右側など）に留めるための、又は、第１可動ファスナー１２０を剛体６０から分離するための、動作部１２２を有している。動作部１２２と吊り下げ部１１２とは、平行に対向しており、動作部１２２と吊り下げ部１１２とは、ギャップによってボード１１４から離されている。第２可動ファスナー１３０は、フック部材１１０のボード１１４上に配置されており、また、図２に示す構造体５０上に留めるための支持部１３２を有している。
【００１４】
本実施形態のフック部材１１０は、１つの部品で一体的に形成されたフックとすることができる。フック部材１１０は、吊り下げ部１１２と、ボード１１４と、吊り下げ部１１２及びボード１１４の間に接続された湾曲部１１６とを含んでいる。さらに、本実施形態の第１可動ファスナー１２０は、打ち抜くことによって延伸部１２４を形成することができる。延伸部１２４は、動作部１２２に平行な方向に、ボード１１４上を延伸している。本実施形態の支持部１３２は、第２可動ファスナー１３０の２つの対向する端部から内側に曲げられ、Ｃ型形状の凹部１３３を形成している。
【００１５】
第１可動ファスナー１２０は、さらに、第１連結部材１２６を含んでもよい。第１連結部材１２６は、第１可動ファスナー１２０をボード１１４に対して回転可能にするために、ボード１１４上に固定され得る。第１連結部材１２６は、リベット、又は、リベットの特徴を有する構造とすることができる。第２可動ファスナー１３０は、さらに、第２連結部材１３４を含んでもよい。第２連結部材１３４は、第２可動ファスナー１３０をボード１１４に対して回転可能にするために、ボード１１４上に固定され得る。第２連結部材１３４は、リベット、又は、リベットの特徴を有する構造とすることができる。
【００１６】
上述の内容に基づけば、第１可動ファスナー１２０及び第２可動ファスナー１３０はそれぞれ、剛体６０及び構造体５０のそれぞれを留めるために、ボード１１４の２つの対向する側に配置されており、これにより組み付けの利便性が向上する。
【００１７】
吊り下げ部１１２及び動作部１２２の詳細な説明は、図３Ａ及び図３Ｂに開示されている。図３Ａ及び図３Ｂは、クリップ接続構造１００を剛体６０に取り付ける手順を示している。図３Ａに示すように、剛体６０の羽部６１は、フック部材１１０が剛体６０の一方側に留まるように、フック部材１１０の吊り下げ部１１２及び湾曲部１１６によって堅く留められており、剛体６０の羽部６２は、第１可動ファスナー１２０によって留められている。剛体６０の他方側に配置される第１可動ファスナー１２０は、フック部材１１０に対して水平に回転することができる。締結状態を解除するためには、ユーザは、図３Ａに示すように、第１可動ファスナー１２０の動作部１２２を、剛体６０の他方側から切り離すように外側に向かって回転させることだけが必要となる。反対に、締結状態にするには、図３Ｂに示すように、ユーザは、第１可動ファスナー１２０の動作部１２２を、内側に向かって回転させることだけが必要となり、剛体６０の他方の羽部６２は、第１可動ファスナー１２０が剛体６０の他方側に留められるように、動作部１２２及び延伸部１２４によって堅く留められる。
【００１８】
支持部１３２の詳細な説明は、図４Ａ及び図４Ｂに開示されている。図４Ａ及び図４Ｂは、クリップ接続構造１００を構造体５０に取り付ける手順を示している。構造体５０のブラケット５４は、第２可動ファスナー１３０の支持部１３２のＣ型形状の凹部１３３にスライドして挿入される。支持部１３２の２つのＣ型形状の凹部１３３がそれぞれ、剛体５０のブラケット５４に留められている限り、構造体５０は、本実施形態のクリップ接続構造１００を用いて剛体６０に吊るされる。
【００１９】
図５Ａ及び図５Ｂを参照する。ボード１１４の下に配置される第２可動ファスナー１３０も、フック部材１１０に対して水平に回転される。第２可動ファスナー１３０の角度は、図５Ａ及び図５Ｂに示すように、Ｘ軸方向及びＹ軸方向の間で調整される。第２可動ファスナー１３０を回転させることによって、第２可動ファスナー１３０の、２つの対向する側に配置される支持部１３２が、Ｘ軸方向及びＹ軸方向の間に配置され、これに従って、第２可動ファスナー１３０の支持部１３２に留められる構造体５０の角度が調整され得る。従って、本実施形態のクリップ接続構造１００は、設置環境に合うように角度が回転され得るため、組み付けの多様性が向上する。
【００２０】
本発明は例によって示され、また参照される実施形態に関して示されているが、本発明はこれに限定されないことは理解されるであろう。それどころか、本発明は、様々な変更、類似の構成及び方法を含む意図であり、よって、添付の請求項の範囲は、様々な変更、類似の構成及び方法等の全てを含むように、最も広い解釈が認められるべきである。
【図１】
2014139933.tif 000003
【図２】
2014139933.tif 000004
【図３Ａ】
2014139933.tif 000005
【図３Ｂ】
2014139933.tif 000006
【図４Ａ】
2014139933.tif 000007
【図４Ｂ】
2014139933.tif 000008
【図５Ａ】
2014139933.tif 000009
【図５Ｂ】
2014139933.tif 000010
【外国語明細書】
2014139933000001.pdf